(57)【要約】【課題】従来に比べて操作性のよい切替スイッチおよびそれを用いた表示装置を提供する。【解決手段】押圧部５１ｂが設けられた、柱上のノブ５１と、  ノブ５１を回動可能、かつ軸方向に移動可能に取り付ける取付部材５と、  ノブ５１の周囲に配置されると共に、ノブ５１を軸方向に操作したとき押圧部５１ｂに押圧される第１、第２の接点部５２ａ、５３ａを有する第１、第２のスイッチ素子５２、５３とを備え、  ノブ５１の回動位置を選択後に、ノブ５１を押動操作することで第１、第２のスイッチ素子５２、５３のいずれかを選択作動させる構成である。【選択図】  図４
2006120576.tif 000002
【特許請求の範囲】
【請求項１】
押圧部が設けられた、柱上のノブと、
前記ノブを回動可能、かつ軸方向に移動可能に取り付ける取付部材と、
前記ノブの周囲に配置されると共に、前記ノブを軸方向に操作したとき前記押圧部に押圧される第１、第２の接点部を有する第１、第２のスイッチ素子とを備え、
前記ノブの回動位置を選択後に、前記ノブを押動操作することで前記第１、第２のスイッチ素子のいずれかを選択作動させる構成であることを特徴とする切替スイッチ。
【請求項２】
前記取付部材は、回路基板で構成され、
前記第１、第２の接点部は、前記回路基板上の前記ノブを中心とする同一円周上に配置されることを特徴とする請求項１に記載の切替スイッチ。
【請求項３】
前記第１、第２の接点部が前記ノブを中心とする同一円周上に配置された回路基板を有し、
前記取付部材は、前記ノブを前記第１、第２の接点部と対向した位置関係に設定するケース部材の一部で構成されることを特徴とする請求項１に記載の切替スイッチ。
【請求項４】
前記ノブに、前記押圧部を通常位置に復帰させる弾性部材を設けたことを特徴とする請求項１ないし請求項３のいずれかに記載の切替スイッチ。
【請求項５】
前記ノブの先端側に、前記ノブの回動位置を示す回動位置指示部を設けたことを特徴とする請求項１ないし請求項３のいずれかに記載の切替スイッチ。
【請求項６】
請求項１ないし請求項５のいずれか一項に記載の切替スイッチを用いた表示装置であって、
所定情報を表示する表示素子を備え、
前記ノブの操作に連動して前記第１または前記第２のスイッチ素子を作動させ、前記第１または第２のスイッチ素子の選択作動に応じて、前記表示素子の表示情報を切り替えることを特徴とする表示装置。
【請求項７】
請求項１ないし請求項５のいずれか一項に記載の切替スイッチを用いた表示装置であって、
複数の情報を切替え表示する表示素子と、
前記ノブの操作に連動して前記第１または前記第２のスイッチ素子を作動させ、前記第１または第２のスイッチ素子のオン信号またはオフ信号を受けて、前記表示素子の表示情報を切り替える制御手段とを備えることを特徴とする表示装置。
【請求項８】
前記制御手段は、選択された前記第１または前記第２のスイッチ素子の前記オンオフ信号のオン時間またはオフ時間の長さを判定して、前記表示素子の表示情報を切り替えることを特徴とする請求項７に記載の表示装置。
【請求項９】
前記制御手段は、前記第１のスイッチ素子が作動する毎に前記表示素子の表示情報を切り替える第１の切替制御手段と、前記表示素子において特定の表示情報を表示中に、前記第２のスイッチ素子を作動させて前記特定表示情報の表示内容を修正する第２の切替制御手段とを有することを特徴とする請求項７または請求項８に記載の表示装置。
【発明の詳細な説明】
【技術分野】
【０００１】
本発明は、１本のノブを操作することにより２個以上のスイッチ素子のいずれかを選択作動させることが可能な切替スイッチおよびそれを用いた表示装置に関する。
【背景技術】
【０００２】
この種の切替スイッチとして、柱上に延びるノブを右方向もしくは左方向に回転させつつ、利用者がノブを回転させる回転力を用いて、このノブに連動するフランジ部を接点部に押し付けることで第１または第２のスイッチ素子を作動させる構成、およびノブを軸方向に押動操作することで第３のスイッチ素子を作動させる構成が開示されている（例えば、特許文献１参照）。
【特許文献１】特開２００３−１９４５８８号公報
【発明の開示】
【発明が解決しようとする課題】
【０００３】
しかしながら、この切替スイッチでは、第１または第２のスイッチ素子を作動させるためにノブを回転させる回転力を用いており、この回転力を発生させるためには利用者の巧みな操作が必要となり、操作性があまりよいとはいえない。
【０００４】
本発明は、上記の点に鑑みてなされたものであり、従来に比べて操作性のよい切替スイッチおよびそれを用いた表示装置を提供することを目的とする。
【課題を解決するための手段】
【０００５】
上記目的を達成するために、請求項１ないし請求項９に記載の技術的手段を採用する。
【０００６】
請求項１に記載の発明によれば、押圧部が設けられた、柱上のノブと、ノブを回動可能、かつ軸方向に移動可能に取り付ける取付部材と、ノブの周囲に配置されると共に、ノブを軸方向に操作したとき押圧部に押圧される第１、第２の接点部を有する第１、第２のスイッチ素子とを備え、ノブの回動位置を選択後に、ノブを押動操作することで第１、第２のスイッチ素子のいずれかを選択作動させる構成であることを特徴とする。
それにより、本発明の切替スイッチでは、従来のように利用者によるノブの回動力を用いてスイッチを作動させるのに対し、ノブを押す構造とし操作性を向上させることが可能になる。
【０００７】
請求項２に記載の発明によれば、取付部材は、回路基板で構成され、第１、第２の接点部は、回路基板上のノブを中心とする同一円周上に配置されることで、各接点部に対し同レベルの押圧力を安定して与えることが可能になる。
請求項３に記載の発明によれば、第１、第２の接点部がノブを中心とする同一円周上に配置された回路基板を有し、取付部材は、ノブを第１、第２の接点部と対向した位置関係に設定するケース部材の一部で構成されることで、ノブを回路基板に取り付ける必要がなくなり、従って回路基板の実装密度を落とすことなく、各接点部に対し同レベルの押圧力を安定して与えることが可能になる。
【０００８】
請求項４に記載の発明によれば、ノブに、押圧部を通常位置に復帰させる弾性部材を設けたことで、ノブの非操作時もしくは非押圧時には、確実に押圧部を接点部から離間させ、第１または第２のスイッチ素子からオンオフ信号を安定して発生させることが可能になる。
【０００９】
請求項５に記載の発明によれば、ノブの先端側に、ノブの回動位置を示す回動位置指示部を設けたことで、ノブの回動位置が見て分かり、回動操作がし易くなる。
【００１０】
請求項６に記載の発明によれば、請求項１ないし請求項５のいずれか一項に記載の切替スイッチを用いた表示装置であって、
所定情報を表示する表示素子を備え、ノブの操作に連動して第１または第２のスイッチ素子を作動させ、第１または第２のスイッチ素子の選択作動に応じて、表示素子の表示情報を切り替えることを特徴とする。
【００１１】
それにより、ノブを回動して押すという簡便な操作により、表示情報の切り替え指示が容易に行えるようになる。
請求項７に記載の発明によれば、請求項１ないし請求項５のいずれか一項に記載の切替スイッチを用いた表示装置であって、
複数の情報を切替え表示する表示素子と、ノブの操作に連動して第１または第２のスイッチ素子を作動させ、第１または第２のスイッチ素子のオン信号またはオフ信号を受けて、表示素子の表示情報を切り替える制御手段とを備えることを特徴とする。
【００１２】
それにより、ノブを回動して押すという簡便な操作により、各スイッチ素子をオンオフさせることが可能になり、このオンオフ信号を用いて表示素子の表示情報の切り替えが可能になる。
【００１３】
請求項８に記載の発明によれば、制御手段は、選択された第１または第２のスイッチ素子のオンオフ信号のオン時間またはオフ時間の長さを判定して、表示素子の表示情報を切り替えることで、少ないスイッチ素子でもってその個数以上の切り替え指示を行うことが可能になる。
【００１４】
請求項９に記載の発明によれば、制御手段は、第１のスイッチ素子が作動する毎に表示素子の表示情報を切り替える第１の切替制御手段と、表示素子において特定の表示情報を表示中に、第２のスイッチ素子を作動させて特定表示情報の表示内容を修正する第２の切替制御手段とを有することで、各スイッチ素子の役割が明確化され、表示情報の切り替え指示と、特定した表示情報の表示内容の修正指示が混同しにくくなり、操作がより確実に行えるようになる。
【発明を実施するための最良の形態】
【００１５】
本発明の一実施形態を図に基いて説明する。
【００１６】
本発明は、車両用に限らず他の用途の表示装置にも適用可能であるが、ここでは本発明の切替スイッチを自動車用コンビネーションメータ内の表示装置に適用した例について説明する。
【００１７】
図１は、本発明を適用するコンビネーションメータ１の正面図、図２は、図１中のＸ−Ｘ線断面図、図３は、図１中のＹ部分に該当し、プリント基板３への切替スイッチ５０の実装（組付け）状態を示す模式的要部平面図、図４は、図３に示す切替スイッチ５０の組付け状態を示す模式的要部斜視図、図５は、図３中のＺ−Ｚ線に沿った切替スイッチ５０の模式的要部断面図、および図６は、ガイド部３ｂの模式的要部斜視図である。
【００１８】
図１において、コンビネーションメータ１は、自動車の運転席前方もしくは中央部のインスツルメントパネル内に配置され、各種車両情報等を表示するものであり、検出情報として例えば車速に応じて指針１０ａを回動する指針計器１０、燃料タンク内の残存燃料量を表示する燃料計２０、自動車内の各種警告情報を絵文字で表示する警告表示器３０、オドメータ表示や第１、第２のトリップメータ表示や時刻表示を利用者の選択指示に応じて切替表示する電子式表示素子を構成する液晶表示器４０、利用者が手動操作することでこの液晶表示器４０の表示内容を選択したり、もしくは表示内容の調整操作等を行うための例えば樹脂製のノブ５１を有する切替スイッチ５０を備えている。
【００１９】
また、図２に示すように、例えば樹脂製の第１、第２、第３のケース部材２、３、４および透明材料からなるフロントパネル７が順次組み付けられてメータ１のケースが構成されている。このケース内には、回路基板であるリジッドなプリント基板５が第１、第２のケース部材２、３で挟みつける形で組み付けられ、また記号や文字等が印刷された表示盤６が第２、第３のケース部材３、４で挟みつける形で組み付けられている。
【００２０】
第２のケース部材３には、その一部がプリント基板５の表面側に延びてプリント基板５表面と当接する突き出し部３ａが一体的に形成されている。この突き出し部３ａの一部には筒状のガイド部３ｂが形成され、ノブ５１に一体的に形成された鍔部５１ｃを筒内に案内することで、ノブ５１をその軸方向に移動可能にしている。
【００２１】
このノブ５１の下端部には、プリント基板５から抜け防止するために弾性変形可能な抜け止め部５１ｄが、ノブ５１と一体的に形成され、プリント基板５の取付孔５ａに挿入されている。鍔部５１ｃの下方のノブ５１の外周部には、弾性部材としてノブ５１の軸方向に沿って伸縮するコイルスプリング５４が挿入されている。
【００２２】
プリント基板５には、指針計器１０および各機器２０、３０、４０等を制御する制御装置６０等が実装されている。指針計器１０は、シャフト１０ｂを介して指針１０ａを駆動するムーブメント１０ｃを備え、また制御装置６０は、切替スイッチ５０による選択スイッチ信号を受けて液晶表示器４０の表示内容を制御する構成である。
【００２３】
（切替スイッチ５０の構造）
次に、本発明の切替スイッチ５０の構造について、図３〜６を用いて説明する。
各図は、プリント基板５への切替スイッチ５０の実装状態を示し、利用者が手動操作するノブ５１は、例えば樹脂にて円柱状に形成されており、図２に示すように、フロントパネル７の外側までノブ５１の先端部が突き出るように配置され、利用者が操作可能になっている。ノブ５１の先端部には、ノブ５１の回動位置が利用者から見て分かるように、回動位置指示部として半円部５１ａが一体的に形成されている。回動位置指示部としては、それ以外にも矢印状の凸状部やマークなど回動位置が指示できるものであれば、いずれの形状、もしくは印刷やシール表示等であってもよい。
【００２４】
また、ノブ５１の下方には、鍔部５１ｃから延びるひさし状の押圧部５１ｂがノブ５１と一体的に形成され、図３〜６に示すようにノブ５１が軸方向に移動すると共に、ノブ５１の軸を中心に回動する。ここではプリント基板５の方向に押動することで、押圧部５１ｂがスイッチ素子５２の接点部５２ａを押圧する。その際、押圧部５１ｂはガイド部３ｂの外周部に開けた切欠部３ｃの形状に沿って移動する。
【００２５】
ノブ５１の下端にある抜け止め部５１ｄは、下端が複数部分に分割されており取付孔５ａへの挿入時に弾性変形することで貫通でき、その後元の形状に復元してプリント板５からの抜け防止を行う構成である。
【００２６】
ガイド部３ｂ内には、鍔部５１ｃが配置されて、ノブ５１の軸方向の案内を行うと共に、径方向の振れを抑えている。また鍔部５１ｃの下方のノブ５１の外周部には、弾性部材としてノブ５１の軸方向に沿って伸縮するコイルスプリング５４が挿入され、かつこのコイルスプリング５４の上端部を鍔部５１ｃに当接させる形体で、鍔部５１ｃとプリント基板５の上面との間に挿入されている。それにより、利用者の押圧力が解除されたときコイルスプリング５４の復元力でノブ５１を上方に移動させ、押圧部５１ｂと第１のスイッチ素子５２の接点部５２ａとが確実に離間することになり、第１のスイッチ素子５２からオンオフ信号を安定して発生させることが可能となる。
【００２７】
また、第１のスイッチ素子５２の接点部５２ａと第２のスイッチ素子５３の接点部５３ａとはノブ５１を中心とする同一円周上に配置されており、この場合９０度だけ離間されている。このように各接点部５２ａ、５３ａが同一円周上に配置されることで、各接点部５２ａ、５３ａに対し同レベルの押圧力を安定して与えることが可能になる。
【００２８】
そこで利用者はノブ５１を接点部５２ａ、５３ａのある選択した位置（記号Ａ、Ｂ）まで回動操作し、その後ノブ５１を押動（押込み）するという比較的簡便な操作で、選択したスイッチ素子５２または５３を作動させることができる。なお、接点部を備えるスイッチ素子は２個に制限されず、ノブ５１を中心とする同一円周上に３個以上配置するようにしてもよい。
【００２９】
またノブ５１の回動に制動をかける回転制動手段をノブ５１の外周部に設け、利用者が回動位置を選択するとき、および選択した後にノブ５１の回動位置を安定させるようにしてもよい。
【００３０】
なお、第１、第２のスイッチ素子５２、５３の接点部５２ａ、５３ａとしては、機械的なスイッチを構成する可動片に限らず、押圧部５１ｂの接触により電気信号を流す構成としたり、圧力により導通状態が変化する感圧スイッチの押圧部や、磁気により導通状態が変化する磁気スイッチの感磁部から構成してもよい。
【００３１】
そこで、切替スイッチ５０の操作方法を説明すると、利用者はノブ５１を摘み、まず希望する機能を示す位置（記号Ａ、Ｂ）まで回動操作する。その後ノブ５１を押動（押込み）操作することで、スイッチ素子５２または５３を作動させ、制御装置６０を介して選択した機能Ａ、Ｂを作動させることができる。とりわけ、ノブ５１の押動（押込み）時間の長さに応じた時間幅信号（０．８ｓ、３ｓなど）を発生させる必要があるときには、単純な押動（押込み）操作に注力するだけでよく、回動力でスイッチさせる場合よりも操作性がよい。
【００３２】
しかも、１つのスイッチ素子５２、５３で時間幅信号を複数種類だけ発生させることができ、その結果、少ないスイッチ素子でもってその個数以上の指示信号を発生させることができる。
【００３３】
（切替スイッチ５０の構造の変形例）
上記実施形態では、ノブ５１の下端部をプリント基板５に取り付けていたが、例えば図７に示すように、メータ１のケース部材の一部である有底筒状のガイド部３ｂ１の底部に取り付けるようにしてもよい。この有底筒状のガイド部３ｂ１は、例えば樹脂製の第２のケース部材３の突き出し部３ａに一体的に形成し、このガイド部３ｂ１の底部に取付孔５ａ１を設け、ノブ５１の下端に一体的に形成した抜け止め部５１ｄを弾性変形させて挿入している。
【００３４】
なお、上記実施形態では、押圧部５１ｂを通常位置に復帰させる弾性部材として、コイルスプリング５４を用いているが、このコイルスプリング５４を廃止し、ノブ５１と一体的に形成された弾性変形可能な板状突き出し部を設け、この板状突き出し部の軸方向の復元力を用いるようにしてもよい。つまり、押圧部５１ｂの押動操作時に、弾性変形させた状態でこの板状突き出し部の下端部をプリント基板５の上面に当接させる構成とし、押動操作の終了時には板状突き出し部の復元力により、ノブ５１をプリント基板５から離れる方向に移動させ、押圧部５１ｂと接点部５２ａとを確実に離間させることができる。
【００３５】
（切替スイッチの適用例）
次に、上記した切替スイッチ５０を用いて電子式表示素子の液晶表示器４０を作動させる適用例について説明する。とりわけ、本例では、上記切替スイッチ５０で生成が容易な所定時間幅のオン信号またはオフ信号の時間幅信号に応じて、表示内容を制御する適用例を示す。
【００３６】
図８は、切替スイッチ５０を用いた制御装置６０の概略構成を示す全体構成図、図９は、制御回路１００により液晶表示器４０に表示させる４つの表示機能の切替順序を示す説明図、図１０は、液晶表示器４０で時計表示を選択したときの時刻調整フローを示すフローチャートである。
【００３７】
図８において、制御回路１００は、ＣＰＵ、ＲＯＭ、ＲＡＭを含むマイクロコンピュータから構成され、切替スイッチ５０および各種検出情報を受けて、図１に示す指針計器１０、燃料計２０、警告表示器３０、および液晶表示器４０の作動を制御する。この制御回路１００には、イグニッションスイッチ１０２のオフ中も作動させる機能維持のために、バッテリ１０１よりイグニッションスイッチ１０２を介さずに常時バッテリ電圧ＶＢが供給されると共に、イグニッションスイッチ１０２を介してバッテリ電圧ＶＢが供給される経路がある。
【００３８】
図９に示すように、イグニッションスイッチ１０２が投入されたときに作動し、ノブ５１の回動操作により切替スイッチ５０の第１のスイッチ素子５２が選択され、しかもノブ５１の押動（押込み）操作時間が所定時間幅（例えば０．０４秒以上で０．８秒未満）となるオン信号（この場合Ｌレベル信号）が制御回路１００に入力される毎に、制御回路１００はオドメータ表示Ａ１→第１のトリップメータ表示Ａ２→第２のトリップメータ表示Ａ３→時計表示Ａ４→オドメータ表示Ａ１の順序で表示機能を切り替える。ちなみに、制御回路１００において、この表示機能の切替機能が、請求項９に記載した第１の切替制御手段を構成する。
【００３９】
しかも、第１のトリップメータ表示Ａ２または第２のトリップメータ表示Ａ３の状態において、第１のスイッチ素子５２が前記所定時間幅（例えば０．８秒）以上オンするオン信号が制御回路１００に入力されると、現在選択されているトリップメータ表示Ａ２またはＡ３がリセットされる。
【００４０】
なお、第１のトリップメータ表示Ａ２または第２のトリップメータ表示Ａ３の状態において、切替スイッチ５０の第２のスイッチ素子５３が前記所定時間幅（例えば０．８秒）以上オンとなるオン信号が制御回路１００に入力されると、現在選択されているトリップメータ表示Ａ２またはＡ３がリセットされるように構成してもよい。
【００４１】
（時刻調整処理）
次に、図１０は、制御回路１００において、時計表示Ａ４を選択したときの時刻調整フローを示す。
【００４２】
この時計表示Ａ４を選択するには、図９で説明したように、利用者がノブ５１の回動操作により切替スイッチ５０の第１のスイッチ素子５２（以下、ＳＷ１という）を選択し、しかもノブ５１の押動（押込み）操作を繰り返すことで時計表示を選択する。この時計表示を選択した時点で、図１０に示す時刻調整フローがスタートする。この時刻調整フローが、請求項９に記載した第２の切替制御手段を構成する。
【００４３】
そこで、時刻調整処理について説明する。
【００４４】
まず、少なくとも時間表示と分表示を含む時計表示を行う（ステップ２０１）。このとき、切替スイッチ５０の第２のスイッチ素子５３（以下、ＳＷ２という）が所定時間幅ｔ１（例えば、４０ｍｓ＜ｔ＜８００ｍｓ）だけオンしたオン信号（Ｌレベル信号）が入力されると、正時合せを行い（ステップ２０２、２０３）、一方、ＳＷ２のオフ信号（Ｈレベル信号）、または極短時間ｔ２（例えば、ｔ≦４０ｍｓ）だけオンしたオン信号が入力されても時計表示を継続する。他方、ＳＷ２が所定時間幅ｔ３（例えば、８００ｍｓ≦ｔ）だけオンした１回目オン信号が入力されると、分桁修正モードに進み、その準備に入る（ステップ２０２、２０４）。
【００４５】
続いて、ＳＷ２による２回目オン信号が入力され、そのオン信号の時間幅ｔが所定時間幅ｔ１（例えば、４０ｍｓ＜ｔ＜８００ｍｓ）のときは、分数字をステップ送りし（ステップ２０５、２０６）、そのオン信号の時間幅ｔが所定時間幅ｔ４（例えば、８００ｍｓ＜ｔ＜３ｓ）のときは、分数字を２Ｈｚ連続送りし（ステップ２０７）、さらにそのオン信号の時間幅ｔが所定時間幅ｔ５（例えば、３ｓ≦ｔ）のときは、分数字を５Ｈｚ連続送りとする（ステップ２０８）。一方、極短時間ｔ２（例えば、ｔ≦４０ｍｓ）だけオンしたオン信号が入力されても分桁修正モードを継続する。他方、ＳＷ２のオフ信号が入力されるとステップ２０９に進み、オフ信号のオフ時間が５秒以上になると、時間桁修正モードに進み、その準備に入る（ステップ２０９、２１０）。
【００４６】
続いて、ＳＷ２による３回目オン信号が入力され、そのオン信号の時間幅ｔが所定時間幅ｔ１（例えば、４０ｍｓ＜ｔ＜８００ｍｓ）のときは、時間数字をステップ送りし（ステップ２１１、２１２）、そのオン信号の時間幅ｔが所定時間幅ｔ３（例えば、８００ｍｓ≦ｔ）のときは、時間数字を２Ｈｚ連続送りとする（ステップ２１３）。一方、極短時間ｔ２（例えば、ｔ≦４０ｍｓ）だけオンしたオン信号が入力されても時間桁修正モードを継続する。他方、ＳＷ２のオフ信号が入力されるとステップ２１４に進み、オフ信号のオフ時間が５秒以上になると、時刻調整処理を終了し、始めに戻る（ステップ２１４）。
【００４７】
他方、時計表示Ａを選択後、ＳＷ２を操作せずオフさせたままにしたときには、ステップ２０１、２０１、２０４、２０５、２０９、２１０、２１１、２１４を進んで始めに戻り、時刻調整することなく時計表示を継続することになる。
【００４８】
上記したように、ノブ５１の回動操作と押動操作により、第１のスイッチ素子５２（ＳＷ１）を作動させて時計表示を選択した後、再びノブ５１の回動操作により第２のスイッチ素子５３（ＳＷ２）を選択する。その後はノブ５１の押動操作するだけで、ノブ５１に連動して第２のスイッチ素子５３（ＳＷ２）を作動させ、必要とする所定時間幅ｔ１、ｔ２、ｔ３、ｔ４、ｔ５のオン信号またはオフ信号を比較的容易に形成し、操作性のよい時刻調整が可能になる。
【００４９】
しかも、上記切替スイッチ５０で生成が容易なオン信号またはオフ信号の時間幅信号に応じて、表示内容を制御することにより、少ないスイッチ素子でもってその個数以上の切り替え指示を行うことが可能になる。
【００５０】
なお、上記適用例では、第１のスイッチ素子５２（ＳＷ１）にて複数の表示情報を切り替え、この選択した表示情報の表示内容を、第２のスイッチ素子５３（ＳＷ２）にて修正する構成とすることで、各スイッチ素子５２（ＳＷ１）、５３（ＳＷ２）の役割が明確化され、表示情報の切り替え指示と、特定した表示情報の表示内容の修正指示が混同しにくくなり、操作の確実性を高める構成である。この構成に限らず、各スイッチ素子５２（ＳＷ１）、５３（ＳＷ２）毎に、複数の表示情報から特定の表示情報を選択することと、選択した表示情報の表示内容を修正することの両方を行うように構成してもよい。
【図面の簡単な説明】
【００５１】
【図１】本発明を適用するコンビネーションメータ１の正面図である。
【図２】図１中のＸ−Ｘ線断面図である。
【図３】図１中のＹ部分に該当し、プリント基板３への切替スイッチ５０の実装状態を示す模式的要部平面図である。
【図４】図３に示す切替スイッチ５０の組付け状態を示す模式的要部斜視図である。
【図５】図３中のＺ−Ｚ線に沿った切替スイッチ５０の模式的要部断面図である。
【図６】ガイド部３ｂの模式的要部斜視図である。
【図７】切替スイッチ５０の変形例を示す模式的要部断面図である。
【図８】切替スイッチ５０を用いた制御装置６０の概略構成を示す全体構成図である。
【図９】制御回路１００により液晶表示器４０に表示させる４つの表示機能の切替順序を示す説明図である。
【図１０】液晶表示器４０で時計表示を選択したときの時刻調整フローを示すフローチャートである。
【符号の説明】
【００５２】
１    コンビネーションメータ
２、３、４  第１、第２、第３のケース部材
３ｂ  ガイド部
５    プリント基板（回路基板）
６    表示盤
４０    液晶表示器（表示素子）
５０    切替スイッチ
５１    ノブ
５１ａ  半円部（回動位置指示部）
５１ｂ  押圧部
５１ｃ  鍔部
５２、５３  第１、第２のスイッチ素子
５２ａ、５３ａ  接点部（第１、第２の接点部）
５４    コイルスプリング（弾性部材）
６０    制御装置（制御手段）
１００    制御回路（制御手段）
【図１】
2006120576.tif 000003
【図２】
2006120576.tif 000004
【図３】
2006120576.tif 000005
【図４】
2006120576.tif 000006
【図５】
2006120576.tif 000007
【図６】
2006120576.tif 000008
【図７】
2006120576.tif 000009
【図８】
2006120576.tif 000010
【図９】
2006120576.tif 000011
【図１０】
2006120576.tif 000012